(57)【要約】【課題】一人で同一のサイクルで連続して且つ容易に反復練習ができるティーバッティングマシンを提供する。【解決手段】ティーバッティングマシン１０を、打撃用ボール１２の上部および下部を係着した状態で垂直に張られた紐状部材５０と、この紐状部材５０の上端部および下端部にそれぞれ連結され紐状部材５０を左右方向にスライドさせる一対のガイドレール４５と、これらのガイドレール４５を支持する一対の上下アーム部材２１，２３と、これらのアーム部材２１，２３を支持する支柱１６とを備え、各アーム部材２１，２３の中央部に上アーム保持板２０および下アーム保持板２２を一体的に固着すると共に、これらの各アーム保持板２０，２２をそれぞれ回動軸２６を介して支柱１６の前面に装備し、上アーム保持板２０および下アーム保持板２２を支柱１６に対して予め設定された角度に保持する角度保持機構２５を設けた。【選択図】図１２
2011078704.tif 000002
【特許請求の範囲】
【請求項１】
打撃用ボールの上部および下部を係着した状態で垂直に張られた紐状部材と、この紐状部材の上端部および下端部にそれぞれスライド部材を介して連結され前記紐状部材の左右方向への移動を案内する一対のガイドレールと、これらのガイドレールをそれぞれ支持する一対のアーム部材と、これらの各アーム部材を上部および下部で支持する支柱とを備えたティーバッティングマシンであって、
前記各アーム部材の中央部に上アーム保持板および下アーム保持板を一体的に固着すると共に、これらの各アーム保持板をそれぞれ支軸を介して前記支柱の前面に装備し、
前記上アーム保持板および下アーム保持板を前記支柱に対して予め設定された角度に保持する角度保持機構と、を設けたことを特徴とするティーバッティングマシン。
【請求項２】
請求項１に記載のティーバッティングマシンにおいて、
前記角度保持機構を、
前記上アーム保持板および下アーム保持板と前記支柱とにわたってそれぞれ設けられた係着孔と、これらの係着孔に係合し前記各アーム保持板の回動後にその移動先で当該各アーム保持板を係着する係着部材と、を備えて構成したことを特徴とするティーバッティングマシン。
【請求項３】
請求項１に記載のティーバッティングマシンにおいて、
前記支柱と前記上アーム保持板および下アーム保持板との間に前記支柱に沿って上下動する板状の移動部材を配設し、
前記支柱側に前記移動部材を上下方向に駆動する移動部材駆動機構を設けたことを特徴とするティーバッティングマシン。
【請求項４】
請求項３に記載のティーバッティングマシンにおいて、
前記角度保持機構を、
前記上アーム保持板および下アーム保持板と前記移動部材とにわたってそれぞれ設けられた係着孔と、これらの係着孔に係合し前記各アーム保持板の回動後にその移動先で当該各アーム保持板を係着する係着部材と、を備えて構成したことを特徴とするティーバッティングマシン。
【請求項５】
請求項３または請求項４に記載のティーバッティングマシンにおいて、
前記係着孔を前記上アーム保持板および下アーム保持板と前記移動部材とのそれぞれに複数箇所に設けたことを特徴とするティーバッティングマシン。
【請求項６】
請求項３ないし請求項５のいずれか一つに記載のティーバッティングマシンにおいて、
前記移動部材駆動機構を、
前記移動部材の上下方向に形成されたラックと、このラックと噛合するピニオンと、このピニオンを回動自在に支持すると共に前記支柱の背面側に延びた回動軸と、この回動軸の前記支柱の背面側端部に固定されたハンドルと、を備えて構成したことを特徴とするティーバッティングマシン。
【請求項７】
請求項１ないし請求項６のいずれか一つに記載のティーバッティングマシンにおいて、
前記各ガイドレールのそれぞれの両端部に前記各スライド部材の衝突を緩和するショックアブソーバを介装したことを特徴とするティーバッティングマシン。
【請求項８】
請求項１ないし請求項７のいずれか一つに記載のティーバッティングマシンにおいて、
前記スライド部材と前記紐状部材との間に当該紐状部材を巻戻す巻戻し用ばねを設けたことを特徴とするティーバッティングマシン。
【請求項９】
請求項８に記載のティーバッティングマシンにおいて、
前記巻戻し用ばねを前記スライド部材の外周に設けたばね収容ボックス内に収容可能とし、このばね収容ボックスの形状を、前記巻戻し用ばねの側面と対向する部位が開放された断面コ字状に形成したことを特徴とするティーバッティングマシン。
【請求項１０】
請求項１ないし請求項９のいずれか一に記載のティーバッティングマシンにおいて、
前記支柱の下端部を予め設けられた平板状の基礎部材に固着したことを特徴とするティーバッティングマシン。
【発明の詳細な説明】
【技術分野】
【０００１】
本発明はティーバッティングマシンに係り、さらに詳しくは学校の野球部、バッティングセンター、あるいは個人宅等に設置して、一人でティーバッティングを行なえるティーバッティングマシンに関する。
【背景技術】
【０００２】
従来、野球における打撃フォームの確認等のためにティーバッティングが行われている。このティーバッティングとしては、例えば、ゴム製のスタンドの上端部にボールを載せて、そのボールを打者が打つ方法がある。この場合、その都度、ボールを籠等の中から自分で取り出して載せ、あるいは他の者が載せて行なっている。
【０００３】
上記方法では、その都度ボールをスタンドの上端部に載せなくてはならないので、面倒で、連続して、かつ集中してティーバッティングができないことから、一人でも練習できるテニス等の打球練習具が開発されている（例えば特許文献１参照）。
【０００４】
上記特許文献１に開示された打球練習具は、ゴム紐の中心部にテニス等のボールを結着し、当該ゴム紐の両端部を、上下略平行に配置した２本のレールにそれぞれ組み込んだ滑動車に懸架したもので、練習に際してテニス等のボールを打つために、まず、上レールの一方側端部を下げておいて、つまり上レールに傾斜をつけておいて、ラケットでボールを打つように構成されている。これにより、ボールはゴム紐と共に滑動車の移動に連れられ、上下レールに沿ってその他方側端部に移動する。その後ボールは、ゴム紐の反発力と、上レールの傾斜のために初期位置に戻るような構成となっている。
【先行技術文献】
【特許文献】
【０００５】
【特許文献１】実開昭５７−２０３９６６号公報
【発明の概要】
【発明が解決しようとする課題】
【０００６】
しかし、上記特許文献１に開示された打球練習具では、ボールを打撃する際は、上レールの一端を下げて上レールに傾斜をつけた状態としておく。この状態で打撃されたボールは上下のレールに沿って一端から他端に向かって飛ぶ。この場合、ボールを保持しているゴム紐の長さは一定であるため、上レールの一端では弛んだ状態となり、他端では伸びきった状態となる。したがって、他端側に行くにしたがってスピードが落ち、力の掛かり具合で、ボールは他端まで届かないという問題がある。
【０００７】
また、打撃時の加わる力によってボールのスピードが変ることから、ボールの戻り速度が一定でなく、その結果、同一のサイクルで連続して打撃することができないという問題も生じている。
【０００８】
本発明は上記問題点を解決するために提案されたものであり、一人で一定のサイクルで連続して且つ容易に反復練習ができるティーバッティングマシンを提供することを目的とする。
【課題を解決するための手段】
【０００９】
本発明のティーバッティングマシンは、打撃用ボールの上部および下部を係着した状態で垂直に張られた紐状部材と、この紐状部材の上端部および下端部にそれぞれスライド部材を介して連結され前記紐状部材の左右方向への移動を案内する一対のガイドレールと、これらのガイドレールをそれぞれ支持する一対のアーム部材と、これらの各アーム部材を上部および下部で支持する支柱とを備えたティーバッティングマシンであって、前記各アーム部材の中央部に上アーム保持板および下アーム保持板を一体的に固着すると共に、これらの各アーム保持板をそれぞれ支軸を介して前記支柱の前面に装備し、前記上アーム保持板および下アーム保持板を前記支柱に対して予め設定された角度に保持する角度保持機構と、を設けたことを特徴とする。
【発明の効果】
【００１０】
本発明のティーバッティングマシンは、以上のような構成となっているので、上アーム保持板および下アーム保持板を支柱に対して左右方向のいずれかに回動させ、角度保持機構により、予め設定された角度に保持しておいて、打撃用ボールを打者が打撃すると、紐状部材に設けられた打撃用ボールが打撃方向に飛ぶ。紐状部材はスライド部材を介して一対のガイドレールに設けられているので、打撃終了後はスライド部材が打撃方向に移動しガイドレールの端部に到達し、そこから、傾斜したガイドレールに沿ってスライドし初期位置に戻る。その結果、打者はボールをセットする等の作業をすることなく、引き続きティーバッティングを行なうことができるので、一人で一定のサイクルで連続して且つ容易に反復練習ができる。
【図面の簡単な説明】
【００１１】
【図１】本発明に係るティーバッティングマシンの第１実施形態を示す全体斜視図である。
【図２】図１におけるII矢視図である。
【図３】前記第１実施形態の支柱上部に設けられた角度保持機構を示す平面図である。
【図４】前記第１実施形態の支柱下部に設けられた角度保持機構を示す平面図である。
【図５】図３におけるＶ−Ｖ線に沿った縦断面図である。
【図６】図３におけるVI−VI線に沿った縦断面図である。
【図７】前記第１実施形態のアーム上下動機構を示す縦断面図である。
【図８】図７におけるVIII矢視図である。
【図９】図８におけるIX−IX 線に沿った縦断面図である。
【図１０】前記第１実施形態の上下のアーム部材にリニアベアリングを介して張設された紐状部材および紐状部材に保持されたボールを示す一部断面の正面図である。
【図１１】前記第１実施形態のアーム部材の先端構造を示す縦断面図である。
【図１２】前記第１実施形態のティーバッティングマシンを右打ち打者が使用する際の状態を示す全体正面図である。
【図１３】前記第１実施形態のティーバッティングマシンを左打ち打者が使用する際の状態を示す全体正面図である。
【図１４】本発明に係るティーバッティングマシンの第２実施形態を示す全体斜視図である。
【図１５】前記第２実施形態の紐状部材とリニアベアリングとの接続状態を示す縦断面図である。
【図１６】図１５におけるXVI矢視図である。
【図１７】前記第２実施形態のティーバッティングマシンにおいてボールを打撃した際のボールの軌跡を示す平面視の概略図である。
【図１８】前記第２実施形態のティーバッティングマシンにおいてボールを打撃した際のボールの軌跡を示す側面視の概略図である。
【発明を実施するための形態】
【００１２】
以下に、図１〜図１３に基づいて本発明のティーバッティングマシンの一実施形態を説明する。
【００１３】
図１、図２に示すように、第１実施形態のティーバッティングマシン１０は、打撃用ボール（以下、単にボールという）１２を打撃可能な初期位置に一定のサイクルタイムで容易に戻すことができると共に、ボール１２の高さ位置を各打者に柔軟に対応させることができるように構成したものである。
【００１４】
ティーバッティングマシン１０は、ボール１２の上部および下部を係着する垂直に張られた紐状部材５０と、この紐状部材５０の上端部および下端部にそれぞれ連結され紐状部材５０を左右方向にスライドさせる一対のガイドレール４５，４５と、これらのガイドレール４５，４５を支持する一対のアーム部材２１，２３と、これらのアーム部材２１，２３を支持する支柱１６とを備えて構成されている。
【００１５】
また、ティーバッティングマシン１０には、支柱１６の前面の上部および下部にそれぞれ支軸である回動軸２６を介して設けられると共に、一対のアーム部材２１，２３を装着し且つ回動軸２６を回動中心として支柱１６に対して左右方向に回動可能な板状の上アーム保持板２０および下アーム保持板２２と、移動部材であるスライド板１９を介して各アーム保持板２０，２２を支柱１６に対して予め設定された角度に保持する角度保持機構２５と、一対のアーム部材２１，２３を上下方向に移動自在とする移動部材駆動機構３５とが設けられている。
【００１６】
ティーバッティングマシン１０を構成する前記支柱１６は、平板状の基礎台板１５の奥行中央側端部寄りに立設されている。上記基礎台板１５は鉄板等で形成され、平面四角形形状となっている。また、基礎台板１５の上面四隅には、例えばＵ字形状の取手１７が逆向き状態で取り付けられている。そのため、ティーバッティングマシン１０を任意の場所に移動させる際、取手１７を掴むことができるので、移動作業が容易となる。
【００１７】
支柱１６は、例えば鋼製の角パイプ部材で形成され、その下端が溶接等によって基礎台板１５の上面に固着されている。また、支柱１６の下端の４面の側面には、基礎台板１５の上面との間にわたって補強用リブ１８が固着されている。
【００１８】
支柱１６には、図２に矢印Ａで示すように、当該支柱１６の側面に沿って上下方向にスライド自在な前記スライド板１９が設けられている。このスライド板１９の上部には上アーム保持板２０を介して上アーム部材２１が設けられており、また、スライド板１９の下部には下アーム保持板２２を介して下アーム部材２３が設けられている。
【００１９】
スライド板１９は、図１、図２に示すように、支柱１６の長さより短く形成されている。また、支柱１６から外れないように、一部が支柱１６の４面を覆った断面形状に形成されている（図９参照）。
すなわち、スライド板１９の長さ方向の所定区間にわたって、支柱１６の前面と両側面と裏面の一部とを囲むように形成されたガイド部１９Ａが形成され、このガイド部１９Ａの一部が支柱１６の裏面に囲繞しているので、スライド板１９が支柱１６の前面方向に抜けることがなく安全である。
【００２０】
図３に示すように、スライド板１９の上部には、当該スライド板１９の幅寸法と略同じ幅寸法に形成された前記上アーム保持板２０が、矢印Ｂで示すように、回動軸２６を支軸として回動自在に設けられている。また、図４に示すように、スライド板１９の下部には、当該スライド板１９の幅寸法と略同じ幅寸法に形成された前記下アーム保持板２２が、矢印Ｂで示すように、回動軸２６を支軸として回動自在に設けられている。
【００２１】
そして、これらの上アーム保持板２０に上アーム部材２１、下アーム保持板２２に下アーム部材２３がそれぞれ取り付けられている。
上アーム保持板２０および下アーム保持板２２は略矩形形状に形成されている。上アーム保持板２０は、その上端が上アーム部材２１の外周より上方に突出した状態で、また、下アーム保持板２２は、その下端が下アーム部材２３の外周より下方に突出した状態で、上アーム保持板２０と上アーム部材２１、下アーム保持板２２と下アーム部材２３とがそれぞれ溶接等により一体的に固着されている。
【００２２】
各アーム保持板２０，２２には、前記スライド板１９にわたって、当該各アーム保持板２０，２２、ひいては上アーム部材２１および下アーム部材２３を、支柱１６に対して左右方向に所定角度傾けた位置で各アーム保持板２０，２２をその角度に保持する角度保持機構２５が設けられている。
【００２３】
すなわち、角度保持機構２５は、各アーム保持板２０，２２とスライド板１９とにわたって設けられた前記回動軸２６を回動中心として、各アーム保持板２０，２２を所定角度回動した後、予め設定された角度位置に保持する係止部材である蝶ボルト２７と、各アーム保持板２０，２２に形成された係止孔２０Ａ，２０Ｂおよびスライド板１９に形成された係止孔１９Ｃで構成されている。
【００２４】
図５に詳細を示すように、回動軸２６は、スライド板１９の係合部であるネジ孔１９Ｂに螺合するネジ部２６Ａと、上アーム保持板２０を回動自在に支持する軸部２６Ｂとを有するボルトで構成されている。このボルトのヘッドと上アーム保持板２０との間には座金３０が介装されており、座金３０の締め付けの程度で、上アーム保持板２０のスライド板１９に対する回動状態を調整できるようになっている。
【００２５】
なお、図５は、上アーム保持板２０における角度保持機構２５を表しているが、下アーム保持板２２における角度保持機構２５の構造も同じである。
【００２６】
また、上記蝶ボルト２７は、図３、図４、図６に示すように、スライド板１９のネジ孔１９Ｃに螺合してその位置に各アーム保持板２０，２２を位置決め固定できるようになっている。
【００２７】
前述のように、各アーム保持板２０，２２は、スライド板１９、ひいては支柱１６に対して所定角度回動自在となっている。この回動角度は複数設定されており段階的に調整可能となっており、図３、図４に示すように、例えば、３°〜７°の範囲で、１°刻みで回動できるように構成されている。
【００２８】
すなわち、図３に示すように、上アーム保持板２０において、スライド板１９等の垂直方向の中心線Ｃに対して左右の位置には、それぞれ前記回動軸２６を回動中心として、二重の放射状に且つ所定間隔で３°〜７°用の貫通孔２０Ａ，２０Ｂがあけられている。
これに対して、スライド板１９には、上記貫通孔２０Ａ，２０Ｂに対応する前記ネジ孔１９Ｃ（図６参照）が設けられている。
【００２９】
図４に示すように、下アーム保持板２２にも上記と同様に、３°〜７°用の貫通孔２０Ａ，２０Ｂがあけられ、また、スライド板１９には、下アーム保持板２２の貫通孔２０Ａ，２０Ｂに対応する前記ネジ孔１９Ｃ（図６参照）が設けられている。
【００３０】
そして、上アーム保持板２０と下アーム保持板２２とにおいて、各貫通孔２０Ａ，２０Ｂ同士は、上下の回動軸２６同士を結ぶ線の長さ方向中心に対して対称的に位置している。
【００３１】
なお、図３、図４での各アーム保持板２０，２２の位置は、例えば使用しないとき、あるいは運搬時等の中立状態の位置であり、０°の位置に前記蝶ボルト２７をネジ込んでその位置に位置決め固定した状態である。
【００３２】
各アーム保持板２０，２２および前記角度保持機構２５は以上のような構成となっているので、上アーム部材２１および下アーム部材２３を、例えば左側に所定角度、例えば３°傾けたいときは、蝶ボルト２７を０°の位置から外した後、３°の印のある上下の貫通孔２０Ａに差し込み、蝶ボルト２７のネジ部をスライド板１９の表面に当てた状態で待機し、各アーム保持板２０，２２を左側にゆっくりと回動させる。
【００３３】
すると、蝶ボルト２７の先端がスライド板１９に形成された３°の位置のネジ孔１９Ｃに引っ掛かるので、その位置を確認することができる。その後、蝶ボルト２７をネジ孔１９Ｃにネジ込むことで、各アーム保持板２０，２２、ひいては各アーム部材２１，２３を３°傾けることができる。
【００３４】
そして、他の角度に設定する際も、上記動作と同様である。
【００３５】
ここで、上アーム保持板２０および下アーム保持板２２を、左右いずれかに、例えば３°傾けた場合、後述するリニアベアリング４６の戻り速度が遅くなる。これに対して、例えば７°傾けた場合、リニアベアリング４６の戻り速度が早くなる。これにより、角度を適宜変えることで、打者の望むサイクルでの打撃が可能となる。
【００３６】
また、スライド板１９には各アーム保持板２０，２２とそれぞれ対向配置されて標準角度設定板２８，２９が、スライド板１９と一体的に固着されている。
前記各標準角度設定板２８，２９は、各アーム保持板２０，２２と同様の板部材で形成され、それぞれスライド板１９の表面において上アーム保持板２０と下アーム保持板２２との互いに対向する位置に設けられている。
【００３７】
各標準角度設定板２８，２９は、平面略ベースプレート形状に形成され、それぞれの傾斜部の前記頂点Ｔを、上アーム保持板２０と下アーム保持板２２との幅方向中心にそれぞれに合わせて設けられている。
【００３８】
各標準角度設定板２８，２９の傾斜部の水平面に対する傾斜α°は、例えば５°に設定されている。この角度はニュートラル位置であり、前記蝶ボルト２７が０°位置にネジ込まれている状態である。
【００３９】
前記各アーム部材２１，２３は、例えばアルミの丸パイプを平面コ字状に折り曲げて形成され、それぞれの長さ方向中央部が、上記上アーム保持板２０，２２に溶接等により一体的に固着されている（図５参照）。そして、各アーム部材２１，２２が平面コ字状に折り曲げられているので、それぞれの先端位置は、支柱１６の前面から所定寸法離れて突出している状態である。これにより、バット７０でボール１２を打撃する場合でも、バット７０が支柱１６に当たることがない。
なお、各アーム部材２１，２２を例えば合成樹脂製としてもよい。
【００４０】
前述のように、本実施形態のティーバッティングマシン１０は、ボール１２が自然重力バネにより常時、初期位置に復帰できるように構成されている他、バット７０で打撃するボール１２の高さ位置を任意の高さに自在に調整できるように構成したものである。
そのため、本実施形態では、前記スライド板１９を前記支柱１６に対して、且つ支柱１６に沿って上下方向に移動できるように構成し、よって、各アーム部材２１，２２の高さを調整できるように構成したものである。
【００４１】
そして、このスライド板１９、ひいては上アーム部材２１および下アーム部材２３の上下方向の移動は移動部材駆動機構３５により行なわれている。
【００４２】
移動部材駆動機構３５は、図７、図８に詳細を示すように、スライド板１９の上下方向に形成されたラック３９と、このラック３９と噛合するピニオン３８と、このピニオン３８を回転自在に支持すると共に支柱１６の背面側に延びた回転軸３７と、この回転軸３７の支柱１６の背面側端部に固定されたハンドル３６と、スライド板１９に設けられ上記ピニオン３８と係合するラチェット爪４０と、を含み構成されている。
【００４３】
ラック３９はスライド板１９の幅方向中央部を、スライド板１９の長手方向の所定距離にわたりくりぬいて形成された溝部１９Ｄの一方側の側面に形成されている。溝部１９Ｄにおいてラック３９の反対側はピニオン３８が干渉しないようになっている。
【００４４】
ここで、ピニオン３８とラック３９とによるスライド板１９の上下移動距離は、例えば７０ｃｍになるようにラック３９長さが設定されている。ただし、下移動距離は７０ｃｍに限定されず、それ以上でも、あるいはそれ以下でもよい。
【００４５】
ピニオン３８は前記回転軸３７に固着されており、この回転軸３７は支柱１６の対向する側面を貫通し、その端部が上記ハンドル３６にビス等で固定されている。回転軸３７はその直径が二段構造となっており、ハンドル３６側が小径になっている。
回転軸３７の端部が支柱１６の内部の面に当接するまでの大径部と、支柱１６に挿通する小径部とを設けたことになり、これにより位置決めがなされている。
【００４６】
支柱１６とハンドル３６との間には、回転軸３７の小径部に装着されてスペーサ４１が設けられている。また、ハンドル３６の表面側の外周にはグリップ３６Ａが取り付けられている。
【００４７】
図７、図８に示すように、スライド板１９の表面で、且つ前記溝部１９Ｄに面した所定位置にはピニオン３８と係合する前記ラチェット爪４０が設けられている。このラチェット爪４０は、スライド板１９を上昇させるときはピニオン３８の回転に追従し、スライド板１９が所定位置に達したときはピニオン３８と係合して、ピニオン３８の回転を止め、スライド板１９を所定位置に維持するようになっている。
そして、スライド板１９を下方にスライドさせるには、ラチェット爪４０とピニオン３８との係合を外してからハンドル３６を上記方向とは逆に回せばよい。
【００４８】
図１０に詳細を示すように、各ガイドレール４５には、スライド部材である前記リニアベアリング４６がスライド自在に係合している。そして、これら上下のリニアベアリング４６，４６間には、当該リニアベアリング４６のフランジ部４６Ａに結束部材４９で結束し且つ連結された紐状部材５０が垂直に張られている。
【００４９】
前記紐状部材５０は、例えば所定径のロープで形成されており、その長さ方向略中央部には、前記ボール１２が保持されている。ボール１２の保持は、紐状部材５０をボール１２の内部に貫通させた後、ボール１２の上下部に結び玉を作り、ボール１２の位置決めをしている。
なお、ボール１２は、硬式球でも軟式球でもよい。また、紐状部材５０は硬質ゴム、あるいはワイヤーでもよい。
【００５０】
図１１に示すように、前記各アーム部材２１，２３の先端には、ガイドレール取付具４２がそれぞれ取り付けられている。
【００５１】
各ガイドレール取付具４２は、各アーム部材２１，２３の先端に被せられた丸パイプ部材で形成されており、止めネジ４３により固定されている。
【００５２】
また、ガイドレール取付具４２の先端部にはエンドプレート４４が取り付けられている。そのため、ガイドレール取付具４２および各アーム部材２１，２３の内部にゴミ等が侵入することはない。
【００５３】
ガイドレール取付具４２間には、各アーム部材２１，２３の前記１辺部２１Ａ,２３Ａと平行なガイド部材であるガイドレール４５が架けわたされている。このガイドレール４５はリニアベアリング４６用のガイドレールであり、その両端には、それぞれショックアブソーバ４７（図１、図１２，１３参照）が介装されている。
【００５４】
このショックアブソーバ４７は、位置の移動を抑制するための装置であり、ばねまたはばねとダンパによって振動、衝撃を緩衝するシステムである。そして、ばねの特性による揺り返し現象（周期振動）を緩和し収束するために使用されるものである。
【００５５】
次に、以上のような構成のティーバッティングマシン１０の使用方法を、図１２、図１３に基づいて説明する。
【００５６】
まず、図１２に基づいて右打者の場合を説明する。
【００５７】
図１２の状態から、上アーム部材２１用の上アーム保持板２０と下アーム部材２３用の下アーム保持板２２とを右側に回転し、図１２に示すように、ガイドレール４５の他端を図１２中右側に下げた状態とする。このとき、リニアベアリング４６はガイドレール４５の他端側に移動しており、他端側のショックアブソーバ４７に当接している。
【００５８】
また、各アーム保持板２０，２２、ひいてはスライド板１９は、角度を例えば５°に合わせた後、それぞれの蝶ボルト２７により位置決めされている。
【００５９】
さらに、打者の身長に合わせて、ハンドル３６を回しボール１２の高さを調整し、この状態から、矢印Ｄ２で示す打撃方向に沿って、打者がバット７０でボール１２を打つと、ボール１２は図１２において左方に飛ぶ。このとき、紐状部材５０と連結しているリニアベアリング４６がガイドレール４５に沿って移動する。
【００６０】
打ち終わった後、リニアベアリング４６がガイドレール４５の一端側のショックアブソーバ４７に当接し、その反発力とガイドレール４５の傾斜による自然重力バネとの協働により、リニアベアリング４６が初期位置、つまり図１２の状態に戻る。そうすると、打者は、右打席に立った状態で一定のサイクルタイムで引き続きボール１２を打つことができる。
【００６１】
次に、図１３に基づいて左打者の場合を説明する。
【００６２】
図１の状態から、上アーム部材２１用の上アーム保持板２０と下アーム部材２３用の下アーム保持板２２とを左側に、例えば標準角度の５°だけ回動し、各アーム部材２１，２３の各ガイドレール４５，４５の一端を、図１３中左側に下げた状態とする。このとき、各アーム保持板２０，２２、ひいてはスライド板１９は、角度保持機構２５の蝶ボルト２７をスライド板１９の係止孔１９Ｂにネジ込んで位置決めされている。
また、リニアベアリング４６はガイドレール４５の一端側に移動しており、一端側のショックアブソーバ４７に当接している。
【００６３】
さらに、打者の身長に合わせてハンドル３６を回してボール１２の高さを調整し、基礎台板１５の例えば幅方向両側の表面に、土嚢や重いダンベル等の重し６５を載せて、より安定感を確保しておく。
【００６４】
この状態から、矢印Ｄ１で示す打撃方向に沿って、打者がバット７０でボール１２を打つと、ボール１２は図１３において右方に飛ぶ。このとき、紐状部材５０と連結しているリニアベアリング４６がガイドレール４５に沿って移動する。
【００６５】
ボール１２を打ち終わった後、リニアベアリング４６がガイドレール４５の他端方側のショックアブソーバ４７に当接し、その反発力とガイドレール４５の傾斜による自然重力バネとの協働により、リニアベアリング４６が初期位置、つまり図１３の状態に戻る。そうすると、左打席に立った状態で引き続きボール１２を打つことができる。
【００６６】
以上のような構成の第１実施形態のティーバッティングマシン１０によれば、次のような効果を得ることができる。
（１）上下のアーム部材２１，２３を所定角度傾けると、リニアベアリング４６がガイドレール４５に沿って、右打ちの場合は右側に、左打ちの場合は左側端部に移動する。この状態でボール１２を打撃すると、リニアベアリング４６が反対側に移動し、ショックアブソーバ４７に当たった後、傾斜したガイドレール４５に沿ってスライドし、初期位置に戻る。そのため、打者はボール１２をセットする等の作業をすることなく、引き続きティーバッティングを行なうことができる。その結果、一定のサイクルタイムで連続した練習が可能となり、効率のよいティーバッティング練習を行なうことができる。
【００６７】
（２）上アーム保持板２０と下アーム保持板２２とを、支柱１６に対して例えば左側に回動させれば、上下のアーム部材２１，２３が左側に傾き、リニアベアリング４６がガイドレール４５に沿って左側端部まで移動するので左打者に対応できる。これに対して、上アーム保持板２０と下アーム保持板２２とを右側に回動させれば右打者に対応できる。左打者または右打者用として利用するには、上アーム保持板２０と下アーム保持板２２とを左右いずれかに回動するだけでよいので、操作が容易である。
【００６８】
（３）上アーム保持板２０と下アーム保持板２２とを支柱１６に対して左右いずれかの方向に３°〜７°の範囲で角度設定の調整をできるので、上下のアーム部材２１，２３の傾きを上記範囲内で調整することができる。その結果、リニアベアリング４６の戻りの速度、言い換えればボール１２の初期位置までの戻りの速度を、遅くしたり早くしたり調整できるので、各打者の欲する打撃サイクルに柔軟に対応できる。
【００６９】
（４）移動部材駆動機構３５のハンドル３６を回すことにより、スライド板１９を上下方向にスライドさせて各アーム部材２１，２３の高さ、言い換えればボール１２の高さを調整することができる。これにより、その打者の身長に応じて、まず基準の高さ、つまり打者のベルト付近の高さに設定しておいて、所定数の打撃を行なった後、ハンドル３６を回し、今度はその打者の低め、あるいは高めのストライクゾーンを設定して打撃練習をすることができる。その結果、１台のマシンで状況に応じた打撃フォームの確認を容易に行なうことができる。
【００７０】
（５）支柱１６の下端が平面形状四角形の基礎台板１５に固定されているので、ティーバッティングマシン１０が安定している。そのため、ティーバッティングマシン１０を安心して使用することができる。
【００７１】
（６）基礎台板１５の上面四隅に取手１７が設けられているので、ティーバッティングマシンの持ち運びが容易となり、任意の場所で使用することができる。
【００７２】
次に、図１４〜図１８に基づいて本発明のティーバッティングマシンの第２実施形態を説明する。
【００７３】
図１４に示すように、本第２実施形態のティーバッティングマシン６０は、打撃した前記ボール１２がガイドレール４５に沿って直線方向の移動に移行する前に、つまり、ボール１２が、打撃する瞬間のバット７０の向きに対応して飛ぶように構成したものである。
【００７４】
なお、この第２実施形態において、前記第１実施形態と同一部材、同一機構には、同一符号を付して説明すると共に、異なった部位を詳細に説明する。
【００７５】
第２実施形態のティーバッティングマシン６０では、図１５、図１６に詳細を示すように、前記リニアベアリング４６に相当するスライドブッシュ５６にバネ収容ボックス５３が取り付けられている。そして、このバネ収容ボックス５３には、バット７０の力の加わる方向に対応してボール１２が飛ぶようになる巻戻し用ぜんまいばね５４が収容されており、巻戻し用ぜんまいばね５４の先端は、テグス等の結束部材４９により前記紐状部材５０の一端と強固に結束されている。また、ぜんまいばね５４の基端は、バネ収容ボックス５３内において軸５５に固着されている。
【００７６】
ここで、ぜんまいばね５４の先端と紐状部材５０の一端とは、ぜんまいばね５４がバネ収容ボックス５３内に全部巻き戻されたとき、両者５０，５４の結束部がバネ収容ボックス５３の上方近傍に位置するように設定されている。
【００７７】
バネ収容ボックス５３は、スライドブッシュ５６の外周に固着された底部５３Ａと、この底部５３Ａの両端に、ぜんまいばね５４の側面に隣接して平行に立設された側面部５３Ｂとで形成され、ぜんまいばね５４の側面と平行な面が取り除かれた断面コ字形状に形成されている。これにより、巻戻し用ぜんまいばね５４の側面と対向する部位が開放された形状となっている。
【００７８】
したがって、ボール１２を打撃すると、それに連れてぜんまいばね５４が上記開放された空間内を伸びる。このとき、ぜんまいばね５４は、バット７０の力の加わる向き方向に対応して伸びるので、結局ボール１２がバット７０の力の加わる向き方向に飛ぶ。
【００７９】
その様子を、図１７（Ａ）〜（Ｃ）、および図１８（Ａ）〜（Ｃ）に基づいてさらに詳細に説明する。ここで、図１７（Ａ）〜（Ｃ）はボール１２の上方から見た状態であり、図１８（Ａ）〜（Ｃ）はボール１２の正面から見た状態である。そして、いずれの場合も右打者の例で説明する。
【００８０】
図１７（Ａ）では、バット７０とボール１２とが当たる瞬間、打者の両腕とバット７０とが略一直線上にあり、ボール１２は矢印ａ１で示すような飛行軌跡を描いて飛ぶ。いわゆるピッチャー返し、センター返しと言われる打法である。
【００８１】
図１７（Ｂ）では、バット７０とボール１２とが当たる瞬間、バット７０をコントロールする打者の手首が右方向、つまりライト方向に向いており、バット７０が遅れて出る。いわゆるライト打ち、流し打ちと言われる打法である。この打法では、ボール１２を打った瞬間、ぜんまいばね５４の作用により矢印ｂ１で示す飛行軌跡を描いて飛ぶが、その直後に、ぜんまいばね５４の戻り力と前記スライドブッシュ５６との協働作用により、図１７（Ａ）に示す矢印ａ１と同じ水平方向の移動に移行する。
【００８２】
図１７（Ｃ）では、バット７０とボール１２とが当たる瞬間、バット７０をコントロールする打者の手首が左方向、つまりレフト方向に向いており、バット７０を巻き込んだ打ち方であり、いわゆる引っ張りと言われる打法である。この打法では、ボール１２を打った瞬間、ぜんまいばね５４の作用により矢印ｃ１で示す飛行軌跡を描いて飛ぶが、その直後に、ぜんまいばね５４の戻り力と前記スライドブッシュ５６との協働作用により、図１６（Ａ）に示す矢印ａ１と同じ水平方向の移動に移行する。
【００８３】
次に左打者の場合を説明する。
この場合は、図１７（Ａ）〜図１７（Ｃ）においてバット７０がボール１２の右側に位置する状態である。
【００８４】
左打者がボール１２を打った場合、図１７（Ａ）で説明したのと同じ方向にボール１２は飛ぶ。
【００８５】
左打者がバット７０を巻き込んでボール１２を打つとき、つまりライト方向に引張る打法を行なったとき、図１７（Ｂ）で説明したのと同じ方向にボール１２は飛ぶ。
【００８６】
また、左打者がバット７０を押し付けてボール１２を打つとき、つまりレフと方向に向けて流し打つ打法を行なったとき、図１７（Ｃ）で説明したのと同じ方向にボール１２は飛ぶ。
【００８７】
今度は、図１８（Ａ）〜図１８（Ｃ）に基づいて、ボール１２の側面から見た状態を説明する。
【００８８】
図１８（Ａ）は、バット７０をボール１２の中心に当てて水平方向に振り抜くときの状態で、ボール１２は矢印ａ１で示す飛行軌跡のように水平方向に飛ぶ。
【００８９】
図１８（Ｂ）は、バット７０がボール１２の下面側を打撃するときの状態、つまりボール１２を打ち上げてフライとする打法で、ぜんまいばね５４の作用によりボール１２は、最初斜め上方向に向いて飛び、その後は、ぜんまいばね５４の戻り力と前記スライドブッシュ５６との協働作用により、水平方向に飛ぶ（飛行軌跡ｂ１）。
【００９０】
図１８（Ｃ）は、バット７０がボール１２の上面側を打撃するときの状態、つまりボール１２を叩きつける打法で、ぜんまいばね５４の作用によりボール１２は、最初斜め上方向に向いて飛び、その後は、ぜんまいばね５４の戻り力と前記スライドブッシュ５６との協働作用により、水平方向に飛ぶ（飛行軌跡ｃ１）。
【００９１】
左打者の場合は、図１８（Ａ）〜図１８（Ｃ）において、打者が紙面直交方向の手前側に立っている場合であり、飛行軌跡ａ１〜飛行軌跡ｃ１は上記右打者の場合と同じである。
なお、ばねは、ぜんまいばねに限る必要はなく、渦巻きばねあるいはコイルばねであってもよい。
【００９２】
以上のように構成された第２実施形態のティーバッティングマシン６０によれば、前記（１）〜（６）と同様の効果を得ることができる他、次のような効果が得られる。
（７）スライドブッシュ５６にバネ収容ボックス５３を介してぜんまいばね５４が設けられ、このぜんまいばね５４に紐状部材５０が連結されているので、ボール１２を打撃すると、バット７０の力の加わる方向にぜんまいばね５４が伸びる。したがって、いわゆるピッチャー返し、ライト打ち、レフト打ちの練習をすることができる他、フライ打ちや叩きつける打ち方等、変化に富んだティーバッティング練習を行うことができ、より実戦に近い形でのフォーム固めができる。
【００９３】
以上、前記各実施形態を参照して本発明を説明したが、本発明は前記各実施形態に限定されるものではない。本発明の構成や詳細については、当業者が理解し得るさまざまな変更を加えることができる。また、本発明には、前記各実施形態の構成の一部又は全部を相互に適宜組み合わせたものも含まれる。
【００９４】
例えば、前記各実施形態では、各アーム部材２１，２３等を装着した支柱１６を基礎台板１５の上面に固定し、その基礎台板１５を所定位置に載置してから使用していたが、基礎台板１５の裏面四隅に、所定位置で固定できる機能を有するキャスターを取り付け、全体を必要に応じて容易に移動できるようにしてもよい。
【００９５】
また、前記各実施形態では、角度保持機構２５の係止部材として、各アーム保持板２０，２２の貫通孔２０等からスライド板１９のネジ孔１９Ｃに螺合される蝶ボルト２７で構成したが、これに限らない。係止部材を、各アーム保持板２０，２２とスライド板１９とに、互いに対応する係止孔を形成し、これらの係止孔に挿通する位置決めピンで構成してもよい。このようにすれば、ネジ孔１９Ｃを形成しないですむ分、製作が容易である。
また、各アーム保持板２０，２２とスライド板１９とに設ける係止孔として、回動軸から同一半径の距離にある弧状長孔とすれば、任意の角度を持った各アーム部材２１，２３を設定することができるので好都合である。
【００９６】
さらに、前記各実施形態では、上アーム保持板２０と下アーム保持板２２とを、支柱１６に対して３°〜７°の範囲で角度設定できるように構成したが、これに限らない。標準角度設定板２８の傾斜部の角度５°に合わせて、上アーム保持板２０と下アーム保持板２２との角度設定を５°の一つの角度に設定してもよい。このようにすれば、角度設定の手間が少なくてすみ、また、製作の手間も少なくてすむ。
【産業上の利用可能性】
【００９７】
本発明のティーバッティングマシンは、学校の野球部、バッティングセンター、あるいは個人宅等に設置して、一人で容易にかつ変化に富んだティーバッティングを行なう際に利用される。
【符号の説明】
【００９８】
１０  ティーバッティングマシン
１２  ボール
１５  基礎台板
１６  支柱
１９  移動部材であるスライド板
１９Ｂ  係止孔
２０  上アーム保持板
２０Ａ  係止孔
２０Ｂ  係止孔
２１  上アーム部材
２２  下アーム保持板
２３  下アーム部材
２５  角度保持機構
２６  支軸である回動軸
２７  係止部材である蝶ボルト
３５  移動部材駆動機構
３６  ハンドル
３８  ピニオン
３９  ラック
４５  ガイドレール
４６  スライド部材であるリニアベアリング
４７  ショックアブソーバ
５０  紐状部材
５３  バネ収容ボックス
５４  巻戻し用ぜんまいばね
７０  バット
【図１】
2011078704.tif 000003
【図２】
2011078704.tif 000004
【図３】
2011078704.tif 000005
【図４】
2011078704.tif 000006
【図５】
2011078704.tif 000007
【図６】
2011078704.tif 000008
【図７】
2011078704.tif 000009
【図８】
2011078704.tif 000010
【図９】
2011078704.tif 000011
【図１０】
2011078704.tif 000012
【図１１】
2011078704.tif 000013
【図１２】
2011078704.tif 000014
【図１３】
2011078704.tif 000015
【図１４】
2011078704.tif 000016
【図１５】
2011078704.tif 000017
【図１６】
2011078704.tif 000018
【図１７】
2011078704.tif 000019
【図１８】
2011078704.tif 000020